(57)【特許請求の範囲】
【請求項１】
横長の箱状に形成されると共に自由軸受１５が形成された軸受壁１４を有し、かつ、前記軸受壁と反対側に形成された開放端部１３とからなる下部部材１と、
前記下部部材内に配置され長手方向に沿ってスライド可能に配置され、かつ、基部の基壁３１に雌ネジ体３３が固定されたクサビ形状の昇降クサビ３と、
先端側に形成された遮蔽壁４４に開口された昇降操作窓４５が形成され、かつ、前記下部部材の外周に上下動可能に被せられた上部部材４と、
前記昇降操作窓および前記自由軸受から挿入され、雄ネジ部が前記雌ネジ体に螺合されると共に先端が前記下部部材に取付けられた推力軸受１６に軸支された昇降操作棒とより構成し、
前記昇降操作棒を回転して前記昇降クサビをスライドすることで前記上部部材が下部部材に対して昇降して、上部部材に取付けられたレールが昇降してレール設置高さの調整が可能としたことを特徴とする高さ調整式まくらぎ構成部材。
【請求項２】
横長の箱状に形成されると共に自由軸受１５が形成された軸受壁１４を有し、かつ、前記軸受壁と反対側に形成された開放端部１３とからなる下部部材１と、
前記下部部材内に配置され長手方向に沿ってスライド可能に配置され、かつ、基部の基壁３１に雌ネジ体３３が固定されたクサビ形状の昇降クサビ３と、
先端側に形成された遮蔽壁４４に開口された昇降操作窓４５が形成され、かつ、前記下部部材の外周に上下動可能に被せられた上部部材４と、
前記昇降操作窓および前記自由軸受から挿入され、雄ネジ部が前記雌ネジ体に螺合されると共に先端が前記下部部材に取付けられた推力軸受１６に軸支された昇降操作棒と、
前記下部部材の前記開放端部を向かい合わせ、該向かい合った開放端部内に差し込み可能な電気絶縁性の結合部材とから構成し、
前記２つの開放端部の一面からボルトを前記結合部材に差し込み他面から突出した前記ボルトにナットを螺合してネジ止め固定して一位体したことを特徴とする高さ調整式まくらぎ装置。
【請求項３】
底板１１の左右側端に立設された１対の側壁１２と、前記底板の先端に立設された軸受壁１４と、前記底板の上面中央部に突設された推力軸受１６とを有する下部部材１と、
周面に雄ネジ２１が形成されて軸周りに回転自在であるが軸方向には移動が制限されるように前記軸受壁と前記推力軸受との間に設けた昇降操作棒２と、
前記昇降操作棒の雄ネジに回動可能に螺合される雌ネジ体３３を回動不能に設けた基壁３１と、該基壁の左右側端から直角に平行して突設されて上端に傾斜褶動滑板３７を有し下端に前記下部部材の底板上面に接する褶動凸部３６を有する左右１対の垂直状クサビ板３４と、前記基壁を前記下部部材の軸受壁に対向して設けた昇降クサビ３と、
上板４１の左右側端に垂設された１対の側壁４２と、前記上板の先端に垂設されて開閉可能な昇降操作用窓４５を設けた遮蔽壁４４と、前記上板の下面より側壁と平行に垂設されて下端縁が前記昇降クサビの左右１対の傾斜褶動滑板３７と接触褶動可能な傾斜位置にある左右１対の昇降クサビ案内板４７と、前記下部部材に褶動自在に覆着した上部部材４と、
前記下部部材の基端を嵌着した２個の結合腕５２を面対称的に対向して設けた電気絶縁性の結合部材５と、
を備えたことを特徴とする高さ調整式まくらぎ装置。
【発明の詳細な説明】
【技術分野】
【０００１】
本発明は、鉄道におけるレール設置高さの調整を容易に実施することができる、高さ調整式まくらぎ構成部材および高さ調整式まくらぎ装置に関する。
【背景技術】
【０００２】
鉄道における線路は直線状に設けることが好ましいとされているものの、曲線状の線路で滑らかに接続されていることも多い。このような曲線状の線路を走行する列車には遠心力が働いて、車両を曲線の外方に向かって倒そうとする力となって作用する。そこでこのような遠心力の作用を抑制するために、曲線状線路の外側のレールの高さを内側のレールの高さより高くし、カントを設けることが行われている。しかし鉄道の保線作業においては、カントの変化が起こりやすい曲線部で、微調整によるカントの修正が欠かせないばかりでなく、その作業工数も多いので、作業効率の改善が求められていた。
【発明の開示】
【発明が解決しようとする課題】
【０００３】
そこで本発明は、このような保線作業での軌道位置の調整精度を高めると共に、作業労力を軽減するほか作業効率を改善して、保線経費の低減化を図ることができる、レール高さ調整用の、鉄鋼材製の高さ調整式まくらぎを提供することを目的としたものである。
【課題を解決するための手段】
【０００４】
本発明の高さ調整式まくらぎ構成部材の請求項１の手段は、横長の箱状に形成されると共に自由軸受１５が形成された軸受壁１４を有し、かつ、前記軸受壁と反対側に形成された開放端部１３とからなる下部部材１と、前記下部部材内に配置され長手方向に沿ってスライド可能に配置され、かつ、基部の基壁３１に雌ネジ体３３が固定されたクサビ形状の昇降クサビ３と、先端側に形成された遮蔽壁４４に開口された昇降操作窓４５が形成され、かつ、前記下部部材の外周に上下動可能に被せられた上部部材４と、前記昇降操作窓および前記自由軸受から挿入され、雄ネジ部が前記雌ネジ体に螺合されると共に先端が前記下部部材に取付けられた推力軸受１６に軸支された昇降操作棒とより構成し、前記昇降操作棒を回転して前記昇降クサビをスライドすることで前記上部部材が下部部材に対して昇降して、上部部材に取付けられたレールが昇降してレール設置高さの調整が可能としたことを特徴とする。
【０００５】
本発明の高さ調整式まくらぎ装置の請求項２の手段は、横長の箱状に形成されると共に自由軸受１５が形成された軸受壁１４を有し、かつ、前記軸受壁と反対側に形成された開放端部１３とからなる下部部材１と、前記下部部材内に配置され長手方向に沿ってスライド可能に配置され、かつ、基部の基壁３１に雌ネジ体３３が固定されたクサビ形状の昇降クサビ３と、先端側に形成された遮蔽壁４４に開口された昇降操作窓４５が形成され、かつ、前記下部部材の外周に上下動可能に被せられた上部部材４と、前記昇降操作窓および前記自由軸受から挿入され、雄ネジ部が前記雌ネジ体に螺合されると共に先端が前記下部部材に取付けられた推力軸受１６に軸支された昇降操作棒と、前記下部部材の前記開放端部を向かい合わせ、該向かい合った開放端部内に差し込み可能な電気絶縁性の結合部材とから構成し、前記２つの開放端部の一面からボルトを前記結合部材に差し込み他面から突出した前記ボルトにナットを螺合してネジ止め固定して一位体したことを特徴とする。
また、高さ調整式まくらぎ装置の請求項３の手段は、底板１１の左右側端に立設された１対の側壁１２と、前記底板の先端に立設された軸受壁１４と、前記底板の上面中央部に突設された推力軸受１６とを有する下部部材１と、周面に雄ネジ２１が形成されて軸周りに回転自在であるが軸方向には移動が制限されるように前記軸受壁と前記推力軸受との間に設けた昇降操作棒２と、前記昇降操作棒の雄ネジに回動可能に螺合される雌ネジ体３３を回動不能に設けた基壁３１と、該基壁の左右側端から直角に平行して突設されて上端に傾斜褶動滑板３７を有し下端に前記下部部材の底板上面に接する褶動凸部３６を有する左右１対の垂直状クサビ板３４と、前記基壁を前記下部部材の軸受壁に対向して設けた昇降クサビ３と、上板４１の左右側端に垂設された１対の側壁４２と、前記上板の先端に垂設されて開閉可能な昇降操作用窓４５を設けた遮蔽壁４４と、前記上板の下面より側壁と平行に垂設されて下端縁が前記昇降クサビの左右１対の傾斜褶動滑板３７と接触褶動可能な傾斜位置にある左右１対の昇降クサビ案内板４７と、前記下部部材に褶動自在に覆着した上部部材４と、前記下部部材の基端を嵌着した２個の結合腕５２を面対称的に対向して設けた電気絶縁性の結合部材５とより構成したことを特徴とする。
【発明の効果】
【０００６】
本発明の高さ調整式まくらぎは、新設される線路において使用することができるが、従来の線路で使用されていたまくらぎと交換して使用することもできる。しかし、本発明の高さ調整式まくらぎは、その構造上、寸法精度が高く且つ量産が可能である点や、強度の高い製品が製造できる点などから、製造用の材料として鋼材を採用することが有利である。しかし鋼材の製品は、砕石等を用いて築造された従来型の路床の上で使用すると、砕石の移動などによるまくらぎ表面の擦り傷から発錆などが生じ易い。そこで製造用材料の選択に当たっては、使用環境なども考慮に入れて材質の評価を行うことが望ましい。また、このような鋼材の製品は、障害を受け難いコンクリートスラブなどで構成された路床の上などでの使用が勧められ、その場合、保線作業が更に容易となるうえ、設備の使用寿命も一層長くなるという利点がある。
【０００７】
本発明の高さ調整式まくらぎは、その中央部に電気絶縁性結合部材が設けてあって、その両端に２個の結合腕が形成されており、それぞれの結合腕に高さ調整式まくらぎ用の予備組立体を結合して成るが、これらの予備組立体は同一構造を有しているので、形状は完全に対称であって、機能的にも全く同等な性能を備えている。従って、取扱性についても完全に対称であって極めて操作し易い。そのうえ、まくらぎ上に設置されるレールは、相互に電気的に絶縁されているので、列車走行の安全を護る信号に混乱を起こす恐れもなく，更に電気絶縁性結合部材の結合腕間の長さが異なるものを採用すれば、軌条間隔の異なる線路にも、そのまま使用できる利点がある。
【０００８】
また本発明の高さ調整式まくらぎは、カントの調整の頻度が高い曲線状の線路に使用するときに、保線作業の効率改善効果が特に大きいと期待できる。しかし、直線状の線路では保線作業の頻度が低いとされているだけであり、レール面の高さの微調整が極めて容易で、保線作業が効率化できるという点では、曲線状の線路と本質的に変わることがなく、全く同様な効率改善効果が期待できる。
【発明を実施するための最良の形態】
【０００９】
本発明の高さ調整式まくらぎを、以下に図面に基づいて説明するが、本発明は図面の記載によって限定を受けるものではない。
図１は、本発明の高さ調整式まくらぎの例の一部を切り欠いた外観斜視図であり、図２は縦方向の縦断面図であるが、これらの図から、本発明の高さ調整式まくらぎＴは、中央部に図６に示すような結合部材５が設けてあり、その両翼には図５に示すような同一構造の予備組立体Ｐが、それぞれ連結された構造を備えているので、その中心から見て完全に対称な構造を有していることが分かる。
【００１０】
これらの図面の記載において、１は横長の箱状に形成された下部部材であり、底板11の左右側端には１対の側壁１２，１２が立設されていて、基端１３は幅が縮小して樋状に開放され、結合部材５の結合腕51と嵌合できるようになっている。そして底板１１の先端には昇降操作棒が貫通できる軸受壁１４が、側壁１２，１２と連続するように立設されており、軸受壁１４の略中央の上縁に近い位置には軸受窓が形成され、これに後述の昇降操作棒２を挿通して回転自在に支持できる自由軸受１５が設けられている。また底板１１の上面中程には、昇降操作棒２の先端を回転自在に支承できる昇降操作用の推力軸受１６が突設されている。
【００１１】
上記の昇降操作棒２は、中程の周面に雄ネジ部21が形成されていて、前記自由軸受１５を挿通して、その先端が前記の推力軸受１６によって回転自在に支承されるように、底板１１の先端側から基端方向に向かって取り付けられるもので、その基端に形成された駆動頭２２に嵌着できる適宜の駆動工具、例えばラチェット型トルクレンチなどにより、自由に回転させることができるようになっている。
【００１２】
また、３は前記の昇降操作棒２に連動して移動する昇降クサビであり、図３及び図４にも記載されているように、自由軸受15に近い昇降クサビ３の基部に基壁３１が立設され、該基壁３１の略中央に設けた縦長孔３２には、昇降操作棒２の雄ネジ部２１に回転自在に螺合される雌ネジ体３３が、縦方向にのみ滑動できるが回動は不能なように嵌着されている。そして、昇降クサビ３の基壁３１の左右両側端から底板１１の基端方向に向かって、昇降操作棒２の左右両側に並ぶように、左右１対のクサビ板３４，３４が平行して立設されている。このクサビ板３４，３４の下端には、底板１１と平行に脚板３５，３５が設けてあるほか、底板１１との摩擦を少なくするための褶動凸部３６，３６が形成してあり、更にクサビ板３４，３４の上端には、底板１１の基端方向に徐々に高さが低くなるように傾斜した滑板３７，３７が、クサビ板３４，３４と直角の姿勢をとって設けてある。
【００１３】
そこで、上記のような構造を備えた昇降クサビ３を、その基壁３１が下部部材１の軸受壁１４の内側に向かいあうように、底板１１の上に置き、図３に示すように、昇降操作窓に設けてある自由軸受１５に昇降操作棒２の先端を挿通し、次いで昇降操作棒２の雄ネジ部２１を昇降クサビ３の雌ネジ体３３に螺合させ、更に前進させて昇降操作棒２の先端を推力軸受１６に嵌合した後、昇降操作棒２の先端が推力軸受１６から脱離しないように支承する。このように組み立てられた昇降クサビ３は、一対のクサビ板３４，３４の間に、昇降操作棒２や推力軸受１６に接触を起こさない空間が形成されているから、昇降操作棒２の駆動頭２２に回転力を加えると、昇降操作棒２に螺合された雌ネジ体３３は、回転はできないが縦長孔３２に沿って上下には褶動できるので、軸方向に移動ささる力が生じれば、昇降クサビ３に上下方向の力が加わることがなく、昇降クサビ３が昇降操作棒２に沿って、何等の支障もなく前進又は後退することができる。
【００１４】
以上のように、下部部材１の底板１１の上に昇降操作棒２と昇降クサビ３を組み付けた後には、上部部材４を覆着することができる状態となる。この上部部材４は、上板４１の左右側端に１対の側壁４２，４２が垂設されており、上板４１の先端には昇降操作窓４５を設けた遮蔽壁４４が、側壁４２，４２と連続するように垂設されていて、昇降操作窓４５を覆う開閉可能な窓蓋４６が遮蔽壁４４の外面に設けられている。また上板４１の基端４３は、下部部材１の基端１３と同様の幅が縮小した位置までは伸びているが、その先には上板４１が無いので、底板１１の基端１３だけが、結合部材５と接続するために、開放された状態で残されることになる。
【００１５】
このような上板４１の下面の、前記の昇降クサビ３のクサビ板３４，３４に対応する位置には、左右１対の昇降クサビ案内板４７，４７が側壁４２，４２と平行に垂設され、その下端が上板４１の基端方から先端方に向かって、例えば順次に上昇するなどの傾斜が付けてある。そこで、前述したように下部部材１に昇降操作棒２と昇降クサビ３とを組み込んだ組立体に、上部部材４を覆着すれば、組み立てられた準備組立体Ｐが得られる。
【００１６】
上記のように組み立てられた準備組立体Ｐは、上部部材４に設けた窓蓋４６を開けると、そこに昇降操作窓４５があり、下部部材１の軸受窓から昇降操作棒２の駆動頭２２が突出しているのが見える。そこで、駆動頭２２に回転操作を加えれば、昇降操作棒２に螺合されている雌ネジ体３３は、昇降クサビ３に対しては回転できないように設けられているので、昇降操作棒２が回転するのに応じて、昇降クサビ３が雌ネジ体３３と共に昇降操作棒２に沿って前進又は後退することになる。この際に、昇降クサビ３の底部に形成された褶動凸部３６，３６が、底板１１との摩擦を少なくしており、更に昇降クサビ３の上部には傾斜した褶動滑板３７，３７が設けられているので、昇降クサビ案内板４７，４７の下端との間の摩擦も少なく、上部部材４に対してレール等の荷重が加わっていても、容易に上部部材４を上下褶動させて、レール等の設置位置の高さを変えることができる。
【００１７】
このような準備組立体Ｐは、下部部材１の基端１３が開放された状態となっているので、図６に示すような結合部材５を用いて、本発明の高さ調整式まくらぎを組み立てる必要がある。即ち結合部材５は、例えば電気絶縁性の硬質プラスチック材料などを用いて形成された本体５１の、左右側面から面対称的に突設された２個の結合腕５２，５２を備えた部品と、下部部材１の基端１３と結合腕５２との嵌合部位を覆う被覆体５３と、基端１３と結合腕５２と被覆体５３とを一体に結合する結合ボルトナット５４とからなっている。そこで、準備組立体Ｐの下部部材１における基端１３に、結合部材５の結合腕５２の先端を載せて嵌合させ、続いて上方から被覆体５３を嵌着した後、２本の結合ボルトナット５４を用いて、準備組立体Ｐと結合部材５との結合部位を確実に緊締する。そして、結合部材５の本体５１に残る結合腕５２に、同様な手順により、次の準備組立体Ｐを結合することで、本発明の高さ調整式まくらぎＴを製造することができる。
【００１８】
上記の準備組立体Ｐは、図１や図２、及び上述の説明から分かるように、電気絶縁性材料で形成された結合部材５を使用して、本発明の高さ調整式まくらぎＴを組み立てるための主要な中間製品であるので、本発明の高さ調整式まくらぎＴの設置地点の状況や、レールの敷設計画などに対応して、準備組立体Ｐに組み付ける上板４１には、その上にレールを敷設するに適した形状に成形しておく、或いはレールを敷設する際に必要となる緩衝材や結合材、或いはそれらを装着するのに必要な前処理材などを、予め上板４１の上面に取り付けておく、などの予備的加工を加えておくことが望ましい。
【００１９】
本発明の高さ調整式まくらぎは、上述のような完成品として供給することができるが、準備組立体Ｐと結合部材５の部品との組合せキットとして供給することもでき、或いは下部部材１、昇降操作棒２、昇降クサビ３、上部部材４、及び結合部材５の組合せキットとして供給してもよく、場合によっては下部部材１と昇降操作棒２と昇降クサビ３との組立体と、上部部材４と、結合部材５との組合せキットとして供給してもよい。このように高さ調整式まくらぎを、部品の形態で供給するときには、高さ調整式まくらぎの組立を、高さ調整式まくらぎの設置現場などの適宜の場所を選んで実施することが適切である。
【００２０】
また、本発明の高さ調整式まくらぎは、発明に係る開示の主旨に反しない限り、種々の変更を加えて実施することができ、例えば、図８に開示したように昇降操作棒２の取付姿勢や長さなどを変更すること、或いは昇降クサビ３の形状や構造などに、作用機能の本質に関わりのない改良を加えること、などは、本発明の範囲内の技術であることを付言するものである。
【産業上の利用可能性】
【００２１】
本発明の高さ調整式まくらぎは、鉄道や軌道等の保守作業における軌道位置の修復作業の効率を改善し、作業に必要な労力と時間とを節減することで、軌道等の保守管理にかかる経費の合理的節約が図れるもので、軌道の曲線部分のみでなく、直線部分の保守管理の合理化にも同様に経済的な利益を見込むことができる。
【図面の簡単な説明】
【００２２】
【図１】本発明の高さ調整式まくらぎ装置の一部切り欠き状態の外観斜視図である。
【図２】図１の高さ調整式まくらぎ構成部材を断面した縦断面図である。
【図３】高さ調整式まくらぎ構成部材を分解した状態の斜視図である。
【図４】図３の高さ調整式まくらぎ構成部材の昇降クサビを示し、（ａ）は側面図、（ｂ）はＡ−Ａ線断面図である。
【図５】高さ調整式まくらぎ構成部材の説明図である。
【図６】高さ調整式まくらぎ装置の結合部材を分離した状態の斜視図である。
【図７】高さ調整式まくらぎ装置の上部部材を上昇させた状態を示す断面図である。
【図８】高さ調整式まくらぎ装置の上部部材を上昇させた状態の他の実施例を示す断面図である。
【符号の説明】
【００２３】
Ｔ      高さ調整式まくらぎ
Ｐ      予備組立体
１      下部部材
11      底板
12      側壁
13      基端
14      軸受壁
15      自由軸受
16      推力軸受
２      昇降操作棒
21      雄ネジ部
22      駆動頭
３      昇降クサビ
31      基壁
32      縦長孔
33      雌ネジ体
34      クサビ板
35      脚板
36      褶動凸部
37      褶動滑板
４      上部部材
41      上板
42      側壁
43      基端
44      遮蔽壁
45      昇降操作窓
46      窓蓋
47      昇降クサビ案内板
５      結合部材
51      本体
52      結合腕
53      被覆体
54      結合ボルトナット
【図１】
0004914407.tif 000002
【図２】
0004914407.tif 000003
【図３】
0004914407.tif 000004
【図４】
0004914407.tif 000005
【図５】
0004914407.tif 000006
【図６】
0004914407.tif 000007
【図７】
0004914407.tif 000008
【図８】
0004914407.tif 000009